【手続補正書】
【提出日】平成23年10月11日(2011.10.11)
【手続補正１】
【補正対象書類名】明細書
【補正対象項目名】００４６
【補正方法】変更
【補正の内容】
【００４６】
ここで用いられる用語「アリール」（または「カルボアリール（carboaryl）」は、芳香族炭化水素環系の、単環式、多環式、共役および縮合した残基のいずれかを表す。アリールの例としては、フェニル、ビフェニル、テルフェニル、クアテルフェニル、ナフチル、テトラヒドロナフチル、アントラセニル、ジヒドロアントラセニル、ベンゾアントラセニル、ジベンゾアントラセニル、フェナントレニル、フルオレニル、ピレニル、インデニル（indenyl）、アズレニル、クリセニルが挙げられる。好ましいアリールとしては、フェニルおよびナフチルが挙げられる。アリール基は、ここで規定した１種もしくは２種以上の所望による置換基によって置換されていてもよい。
【手続補正２】
【補正対象書類名】明細書
【補正対象項目名】００５１
【補正方法】変更
【補正の内容】
【００５１】
好ましい所望による置換基としては、前記の反応性官能基または部分、ポリマー鎖、およびアルキル（例えば、Ｃ１−６アルキル、例えばメチル、エチル、プロピル、ブチル、シクロプロピル、シクロブチル、シクロペンチルもしくはシクロへキシル）、ヒドロキシアルキル（例えば、ヒドロキシメチル、ヒドロキシエチル、ヒドロキシプロピル）、アルコキシアルキル（例えば、メトキシメチル、メトキシエチル、メトキシプロピル、エトキシメチル、エトキシエチル、エトキシプロピルなど）、アルコキシ（例えば、Ｃ１−６アルコキシ、例えばメトキシ、エトキシ、プロポキシ、ブトキシ、シクロプロポキシ、シクロブトキシ）、ハロ、トリフルオロメチル、トリクロロメチル、トリブロモメチル、ヒドロキシ、フェニル（これはそれ自身が更に、例えばＣ１−６アルキル、ハロ、ヒドロキシ、ヒドロキシＣ１−６アルキル、Ｃ１−６アルコキシ、ハロＣ１−６アルキル、シアノ、ニトロＯＣ(Ｏ)Ｃ１−６アルキル、およびアミノによって置換されていてもよい）、ベンジル（ここで、ベンジル自身が更に、例えば、Ｃ１−６アルキル、ハロ、ヒドロキシ、ヒドロキシＣ１−６アルキル、Ｃ１−６アルコキシ、ハロＣ１−６アルキル、シアノ、ニトロＯＣ(Ｏ)Ｃ１−６アルキル、およびアミノによって置換されていてもよい）、フェノキシ（ここで、フェニル自身が更に、例えばＣ１−６アルキル、ハロ、ヒドロキシ、ヒドロキシＣ１−６アルキル、Ｃ１−６アルコキシ、ハロＣ１−６アルキル、シアノ、ニトロＯＣ(Ｏ)Ｃ１−６アルキル、およびアミノによって置換されていてもよい）、ベンジルオキシ（ここで、ベンジル自身が更に、例えばＣ１−６アルキル、ハロ、ヒドロキシ、ヒドロキシＣ１−６アルキル、Ｃ１−６アルコキシ、ハロＣ１−６アルキル、シアノ、ニトロＯＣ(Ｏ)Ｃ１−６アルキル、およびアミノによって置換されていてもよい）、アミノ、アルキルアミノ（例えば、Ｃ１−６アルキル、例えばメチルアミノ、エチルアミノ、プロピルアミノなど）、ジアルキルアミノ（例えば、Ｃ１−６アルキル、例えばジメチルアミノ、ジエチルアミノ、ジプロピルアミノ）、アシルアミノ（例えば、ＮＨＣ(Ｏ)ＣＨ３）、フェニルアミノ（ここで、フェニル自身が更に、例えばＣ１−６アルキル、ハロ、ヒドロキシ、ヒドロキシＣ１−６アルキル、Ｃ１−６アルコキシ、ハロＣ１−６アルキル、シアノ、ニトロＯＣ(Ｏ)Ｃ１−６アルキル、およびアミノによって置換されていてもよい）、ニトロ、ホルミル、−Ｃ(Ｏ)−アルキル（例えば、Ｃ１−６アルキル、例えばアセチル）、Ｏ−Ｃ(Ｏ)−アルキル（例えば、Ｃ１−６アルキル、例えばアセチルオキシ）、ベンゾイル（ここで、フェニル基自身が更に、例えばＣ１−６アルキル、ハロ、ヒドロキシ、ヒドロキシＣ１−６アルキル、Ｃ１−６アルコキシ、ハロＣ１−６アルキル、シアノ、ニトロＯＣ(Ｏ)Ｃ１−６アルキル、およびアミノによって置換されていてもよい）、ＣＨ２のＣ＝Ｏでの置き換え、ＣＯ２Ｈ、ＣＯ２アルキル（例えば、Ｃ１−６アルキル、例えばメチルエステル、エチルエステル、プロピルエステル、ブチルエステル）、ＣＯ２フェニル（ここでフェニル自身が更に、例えばＣ１−６アルキル、ハロ、ヒドロキシ、ヒドロキシＣ１−６アルキル、Ｃ１−６アルコキシ、ハロＣ１−６アルキル、シアノ、ニトロＯＣ(Ｏ)Ｃ１−６アルキル、およびアミノによって置換されていてもよい）、ＣＯＮＨ２、ＣＯＮＨフェニル（ここで、フェニル自身が更に、例えばＣ１−６アルキル、ハロ、ヒドロキシ、ヒドロキシＣ１−６アルキル、Ｃ１−６アルコキシ、ハロＣ１−６アルキル、シアノ、ニトロＯＣ(Ｏ)Ｃ１−６アルキル、およびアミノによって置換されていてもよい）、ＣＯＮＨベンジル（ここで、ベンジル自身が更に、例えばＣ１−６アルキル、ハロ、ヒドロキシ、ヒドロキシＣ１−６アルキル、Ｃ１−６アルコキシ、ハロＣ１−６アルキル、シアノ、ニトロＯＣ(Ｏ)Ｃ１−６アルキル、およびアミノによって置換されていてもよい）、ＣＯＮＨアルキル（例えば、Ｃ１−６アルキル、例えばメチルアミド、エチルアミド、プロピルアミド、ブチルアミド）、ＣＯＮＨジアルキル（例えば、Ｃ１−６アルキル）、アミノアルキル（例えば、ＨＮＣ１−６アルキル−、Ｃ１−６アルキルＨＮ−Ｃ１−６アルキル−、および（Ｃ１−６アルキル）２Ｎ−Ｃ１−６アルキル−）、チオアルキル（例えば、ＨＳＣ１−６アルキル−）、カルボキシアルキル（例えば、ＨＯ２ＣＣ１−６アルキル−）、カルボキシエステルアルキル（例えば、Ｃ１−６アルキルＯ２ＣＣ１−６アルキル−）、アミドアルキル（例えば、Ｈ２Ｎ(Ｏ)ＣＣ１−６アルキル−、Ｈ(Ｃ１−６アルキル)Ｎ(Ｏ)ＣＣ１−６アルキル−）、ホルミルアルキル（例えば、ＯＨＣＣ１−６アルキル−）、アシルアルキル（例えば、Ｃ１−６アルキル(Ｏ)ＣＣ１−６アルキル−）、ニトロアルキル（例えば、Ｏ２ＮＣ１−６アルキル−）、スルホキシドアルキル（例えば、Ｒ(Ｏ)ＳＣ１−６アルキル、例えば、Ｃ１−６アルキル(Ｏ)ＳＣ１−６アルキル−）、スルホニルアルキル（例えば、Ｒ(Ｏ)２ＳＣ１−６アルキル−、例えばＣ１−６アルキル(Ｏ)２ＳＣ１−６アルキル−）、スルホナミドアルキル（例えば、２ＨＲＮ(Ｏ)ＳＣ１−６アルキル、Ｈ(Ｃ１−６アルキル)Ｎ(Ｏ)ＳＣ１−６アルキル−）、が挙げられる。
【手続補正３】
【補正対象書類名】明細書
【補正対象項目名】０１４４
【補正方法】変更
【補正の内容】
【０１４４】
上記に略述したような、ポリイソシアネートと一般式（ＩＶ）の化合物の反応を通した、本発明によるポリウレタンの形成に加えて、慣用の鎖延長剤およびポリオールもまたこの反応プロセス中に含めることができる。そのような材料の例としては、エチレングリコール、ジエチレングリコール、トリエチレングリコール、テトラエチレングリコール、プロピレングリコール、ジプロピレングリコール、トリプロピレングリコール、１，３−プロパンジオール、１，３−ブタンジオール、１，４−ブタンジオール、ネオペンチルグリコール、１，６−へキサンジオール、１，４−シクロヘキサンジメタノール、エタノールアミン、ジエタノールアミン、メチルジエタノールアミン、フェニルジエタノールアミン、グリセロール、トリメチロールプロパン、１，２，６−へキサントリオール、トリエタノールアミン、ペンタエリスリトール、Ｎ，Ｎ，Ｎ’，Ｎ’−テトラキス（２−ヒドロキシプロピル）エチレンジアミン、ジエチルトルエンジアミンおよびジメチルチオトルエンジアミンが挙げられるが、これらには限定されない。
【手続補正４】
【補正対象書類名】明細書
【補正対象項目名】０１６１
【補正方法】変更
【補正の内容】
【０１６１】
２−ブロモ−ヘキサデカン酸（１０．０ｇ、２９．８ミリモル）および水酸化カリウム（７．４ｇ、１３１．１ミリモル）を９０ｍＬの水中で、一般手順Ａに従って反応させた（８．０ｇ、２９．５ミリモル、９９％）
１Ｈ−ＮＭＲ（（ＣＤ３）２ＣＯ，２００ＭＨｚ）：δ［ｐｐｍ］＝０．９１（ｔｒ，３Ｈ，Ｊ＝６．１Ｈｚ）、１．１７−１．５５（ｍ，２４Ｈ）、１．５８−１．９０（ｍ，２Ｈ），４．１７（ｄｄ，１Ｈ，Ｊ＝７．１Ｈｚ，４．２Ｈｚ）
【手続補正５】
【補正対象書類名】特許請求の範囲
【補正対象項目名】全文
【補正方法】変更
【補正の内容】
【特許請求の範囲】
【請求項１】
ポリマー主鎖の一部として、一般式（Ｉ）
【化１】
2011516697.tif 000001
で表され、式中、ＡおよびＢはポリマー主鎖の残りを表し、そして同じでも異なっていてもよく、そしてＲは３個もしくは４個以上の炭素原子を有する置換されていてもよい脂肪族炭化水素である、α−オキシカルボニル部分を含んでなるポリウレタンポリマー。
【請求項２】
前記α−オキシカルボニル部分が、一般式（ＩＩ）
【化２】
2011516697.tif 000002
で表されるポリマー主鎖の一部であって、式中、Ａ、ＢおよびＲは請求項１で規定した通りであり、Ｒ１は置換されていてもよい脂肪族炭化水素であり、そしてｘは０もしくは１〜１００の整数であり、ここでそれぞれの繰り返し単位ｘについて、ｘ≧２である場合には、Ｒ１は同じかもしくは異なっているポリマー主鎖の一部に、存在している、請求項１記載のポリウレタンポリマー。
【請求項３】
前記α−オキシカルボニル部分が、一般式（ＩＩＩ）
【化３】
2011516697.tif 000003
で表されるポリマー主鎖の一部であって、式中、Ａ、ＢおよびＲは請求項１で規定した通りであり、Ｒ１は置換されていてもよい脂肪族炭化水素であり、そしてｘは０もしくは１〜１００の整数であり、ここでそれぞれの繰り返し単位ｘについて、ｘ≧２である場合には、Ｒ１は同じかもしくは異なっており、Ｅは、ＡおよびＢと共にポリマー主鎖の残りを表し、Ｒ２は置換されていてもよいアルキレン、置換されていてもよいアルケニレン、置換されていてもよいアリーレンおよび置換されていてもよいアルキレン−アリーレン−アルキレンから選ばれるｚ＋２価の部分であり、ｙは１〜１００の範囲の整数であり、ここでそれぞれの繰り返し単位ｙについて、ｙ≧２である場合には、Ｒ２は同じかもしくは異なっており、そしてｚは０もしくは１〜２０の範囲の整数であるポリマー主鎖の一部に、存在している、請求項１記載のポリウレタンポリマー。
【請求項４】
前記脂肪族炭化水素基Ｒが、３〜４０個の炭素原子を含む、請求項１〜３のいずれか１項記載のポリウレタンポリマー。
【請求項５】
前記脂肪族炭化水素基Ｒが不飽和である、請求項１〜４のいずれか１項記載のポリウレタンポリマー。
【請求項６】
前記脂肪族炭化水素基Ｒが、置換されていてもよい非環式脂肪族炭化水素である、請求項１〜５のいずれか１項記載のポリウレタンポリマー。
【請求項７】
前記脂肪族炭化水素基Ｒを含む前記α−オキシカルボニル部分が、α−ヒドロキシ吉草酸、α−ヒドロキシカプロン酸、α−ヒドロキシカプリル酸、α−ヒドロキシペラルゴン酸、α−ヒドロキシカプリン酸、α−ヒドロキシラウリン酸、α−ヒドロキシミリスチン酸、α−ヒドロキシパルミチン酸、α−ヒドロキシマルガリン酸、α−ヒドロキシステアリン酸、α−ヒドロキシアラキン酸、α−ヒドロキシベヘン酸、α−ヒドロキシリグノセリン酸、α−ヒドロキシセロチン酸、α−ヒドロキシカルボセリン酸（α-hydroxy carboceric acid）、α−ヒドロキシモンタン酸、α−ヒドロキシメリシン酸、α−ヒドロキシラクセロン酸（α-hydroxy lacceroic acid）、α−ヒドロキシセロメリッシン酸（α-hydroxy ceromelissic acid）、α−ヒドロキシゲダ酸、α−ヒドロキシセロプラスチン酸、α−ヒドロキシオブツシル酸（α-hydroxy obtusilic acid）、α−ヒドロキシカプロレイン酸、α−ヒドロキシラウロレイン酸、α−ヒドロキシリンデル酸、α−ヒドロキシミリストレイン酸、α−ヒドロキシフィセテリン酸（α-hydroxy physeteric acid）、α−ヒドロキシツズ酸、α−ヒドロキシパルミトレイン酸、α−ヒドロキシサピエン酸（α-hydroxy sapienic acid）、α−ヒドロキペトロセリン酸、α−ヒドロキシオレイン酸、α−ヒドロキシエライジン酸、α−ヒドロキシバクセン酸、α−ヒドロキシガドレイン酸、α−ヒドロキシゴンドイン酸、α−ヒドロキシセトレイン酸、α−ヒドロキシエルカ酸、α−ヒドロキシネルボン酸、α−ヒドロキシリノール酸、α−ヒドロキシγ−リノレン酸、α−ヒドロキシジホモ−γ−リノレン酸、α−ヒドロキシアラキドン酸、α−ヒドロキシα−リノレン酸、α−ヒドロキシステアリドン酸、α−ヒドロキシニシン酸、およびα−ヒドロキシミード酸、から選ばれたα−ヒドロキシ酸の残基である、請求項１〜３のいずれか１項記載のポリウレタンポリマー。
【請求項８】
ポリウレタンポリマーの調製方法であって、該方法は、イソシアネート官能基を含む化合物および一般式（ＩＶ）
【化４】
2011516697.tif 000004
で表され、式中、ＹはＯＨまたは−[−Ｏ−Ｒ２(ＯＨ)ｚ−]ｙ−ＯＨであり、ＸはＨまたは−[−Ｃ(Ｏ)ＣＨ(Ｒ１)Ｏ−]ｘ−Ｈであり、そしてＲは３個もしくは４個以上の炭素原子を有する置換されていてもよい脂肪族炭化水素であり、Ｒ１は置換されていてもよい脂肪族炭化水素であり、そしてｘは１〜１００の正の整数であり、ここでそれぞれの繰り返し単位ｘについて、ｘ≧２である場合には、Ｒ１は同じかもしくは異なっており、Ｒ２は置換されていてもよいアルキレン、置換されていてもよいアルケニレン、置換されていてもよいアリーレンおよび置換されていてもよいアルキレン−アリーレン−アルキレンから選ばれるｚ＋２価の部分であり、ｙは１〜１００の範囲の整数であり、ここでそれぞれの繰り返し単位ｙについて、ｙ≧２である場合には、Ｒ２は同じかもしくは異なっており、そしてｚは０もしくは１〜２０の範囲の整数である化合物、の反応を通してウレタン結合を形成することを含んでいる、方法。
【請求項９】
前記イソシアネート官能基を含む化合物が、ｍ−フェニレンジイソシアネート、ｐ−フェニレンジイソシアネート、２，４−トルエンジイソシアネート、２，６−トルエンジイソシアネート、１，６−ヘキサメチレンジイソシアネート、１，４−ヘキサメチレンジイソシアネート、１，３−シクロへキサンジイソシアネート、１，４−シクロヘキサンジイソシアネート、ヘキサヒドロ−トルエンジイソシアネートおよびその異性体、イソホロンジイソシアネート、ジシクロ−ヘキシルメタンジイソシアネート、１，５−ナフタレンジイソシアネート、４，４’−ジフェニルメタンジイソシアネート、２，４’−ジフェニルメタンジイソシアネート、４，４’−ビフェニレンメタンジイソシアネート、３，３’−ジメトキシ−４，４’−ビフェニレンジイソシアネート、３，３’−ジメチル−ジフェニルプロパン−４，４’−ジイソシアネート、２，４，６−トルエントリイソシアネート、４，４’−ジメチルジフェニルメタン−２，２’，５，５’−テトライソシアネートおよびポリメチレンポリフェニルポリイソシアネート、から選ばれる、請求項８記載の方法。
【請求項１０】
前記脂肪族炭化水素基Ｒが、３〜４０個の炭素原子を含む、請求項８または９記載の方法。
【請求項１１】
前記脂肪族炭化水素基Ｒが、不飽和である、請求項８〜１０のいずれか１項記載の方法。
【請求項１２】
前記脂肪族炭化水素基Ｒが、非環式脂肪族炭化水素である、請求項８〜１１のいずれか１項記載の方法。
【請求項１３】
一般式（ＩＶ）の前記α−オキシカルボニル部分が、α−ヒドロキシ吉草酸、α−ヒドロキシカプロン酸、α−ヒドロキシカプリル酸、α−ヒドロキシペラルゴン酸、α−ヒドロキシカプリン酸、α−ヒドロキシラウリン酸、α−ヒドロキシミリスチン酸、α−ヒドロキシパルミチン酸、α−ヒドロキシマルガリン酸、α−ヒドロキシステアリン酸、α−ヒドロキシアラキン酸、α−ヒドロキシベヘン酸、α−ヒドロキシリグノセリン酸、α−ヒドロキシセロチン酸、α−ヒドロキシカルボセリン酸（α-hydroxy carboceric acid）、α−ヒドロキシモンタン酸、α−ヒドロキシメリシン酸、α−ヒドロキシラクセロン酸（α-hydroxy lacceroic acid）、α−ヒドロキシセロメリッシン酸（α-hydroxy ceromelissic acid）、α−ヒドロキシゲダ酸、α−ヒドロキシセロプラスチン酸、α−ヒドロキシオブツシル酸（α-hydroxy obtusilic acid）、α−ヒドロキシカプロレイン酸、α−ヒドロキシラウロレイン酸、α−ヒドロキシリンデル酸、α−ヒドロキシミリストレイン酸、α−ヒドロキシフィセテリン酸（α-hydroxy physeteric acid）、α−ヒドロキシツズ酸、α−ヒドロキシパルミトレイン酸、α−ヒドロキシサピエン酸（α-hydroxy sapienic acid）、α−ヒドロキペトロセリン酸、α−ヒドロキシオレイン酸、α−ヒドロキシエライジン酸、α−ヒドロキシバクセン酸、α−ヒドロキシガドレイン酸、α−ヒドロキシゴンドイン酸、α−ヒドロキシセトレイン酸、α−ヒドロキシエルカ酸、α−ヒドロキシネルボン酸、α−ヒドロキシリノール酸、α−ヒドロキシγ−リノレン酸、α−ヒドロキシジホモ−γ−リノレン酸、α−ヒドロキシアラキドン酸、α−ヒドロキシα−リノレン酸、α−ヒドロキシステアリドン酸、α−ヒドロキシニシン酸、およびα−ヒドロキシミード酸、から選ばれるα−ヒドロキシ酸の残基である、請求項８または９記載の方法。
【請求項１４】
一般式（ＩＶ）の前記化合物が、ポリオールを、環式エステルであって、その環の一部を形成する少なくとも２つのエステル部分を有する環式エステルと反応させることによって調製され、該環が一般式（ＶＩ）
【化５】
2011516697.tif 000005
で表され、式中、Ｒは請求項８で規定した通りである、α−オキシカルボニル部分を含む、請求項８〜１３記載の方法。
【請求項１５】
ポリウレタンポリマーの製造における、一般式（ＩＶ）
【化６】
2011516697.tif 000006
で表され、式中、ＹはＯＨまたは−[−Ｏ−Ｒ２(ＯＨ)ｚ−]ｙ−ＯＨであり、ＸはＨまたは−[−Ｃ(Ｏ)ＣＨ(Ｒ１)Ｏ−]ｘ−Ｈであり、そしてＲは３個もしくは４個以上の炭素原子を有する置換されていてもよい脂肪族炭化水素であり、Ｒ１は置換されていてもよい脂肪族炭化水素であり、そしてｘは１〜１００の正の整数であり、ここでそれぞれの繰り返し単位ｘについて、ｘ≧２である場合には、Ｒ１は同じかもしくは異なっており、Ｒ２は置換されていてもよいアルキレン、置換されていてもよいアルケニレン、置換されていてもよいアリーレンおよび置換されていてもよいアルキレン−アリーレン−アルキレンから選ばれるｚ＋２価の部分であり、ｙは１〜１００の範囲の整数であり、ここでそれぞれの繰り返し単位ｙについて、ｙ≧２である場合には、Ｒ２は同じかもしくは異なっており、そしてｚは０もしくは１〜２０の範囲の整数である、化合物の使用方法。
【請求項１６】
請求項１〜７のいずれか１項記載のポリウレタンポリマーを含む、発泡体、エラストマー、成形品、コーティング、繊維、シーラントまたは接着剤製品。